(57)【要約】【課題】  幅木を用いることなく、間仕切パネルに椅子やワゴンのキャスター等が衝突してパネルが破損したり傷つけられたりするのを防止することができるようにした間仕切装置を提供する。【解決手段】  パネル２０を床上にほぼ垂直に起立するように設けることにより、室内空間を仕切るようにした間仕切装置において、パネル２０の下部に、パネル２０の下端の長手方向を向くとともに、パネル２０の表面より外方に突出する緩衝材よりなるバンパー２２を設ける。【選択図】        図２
2005139858.tif 000002
【特許請求の範囲】
【請求項１】
パネルを床上にほぼ垂直に起立するように設けることにより、室内空間を仕切るようにした間仕切装置において、前記パネルの下部に、パネルの下端の長手方向を向くとともに、パネルの表面より外方に突出する緩衝材よりなるバンパーを設けたことを特徴とする間仕切装置。
【請求項２】
パネルの周縁を枠材により囲み、前記枠材の下部側面にバンパーを取り付けた請求項１記載の間仕切装置。
【請求項３】
バンパーの一部を枠材とパネルとの間に挟み込むことにより、バンパーを枠材に取り付けた請求項２記載の間仕切装置。
【請求項４】
枠材とパネルとの間にシール材を設け、このシール材の外側にバンパーを一体的に形成した請求項２または３記載の間仕切装置。
【請求項５】
パネルを透光板とし、パネルの表面と枠体の表面とを同一面とし、かつバンパーを、前記表面より外方に突出するように設けた請求項２〜４のいずれかに記載の間仕切装置。
【請求項６】
２枚のパネルを枠体の両側部に互いに離間するようにして平行に設け、枠体の下部両側面にバンパーを設けた請求項２〜５のいずれかに記載の間仕切装置。
【請求項７】
バンパーを、パネルの下端部のほぼ全長にわたって設けた請求項１〜６のいずれかに記載の間仕切装置。
【請求項８】
バンパーを、緩衝材の表面を硬質材料層により覆ったものとした請求項１〜７のいずれかに記載の間仕切装置。
【発明の詳細な説明】
【技術分野】
【０００１】
本発明は、パネルを床上にほぼ垂直に起立するように設けることにより、室内空間を仕切るようにした間仕切装置に関する。
【背景技術】
【０００２】
従来のこの種の間仕切装置においては、間仕切パネルに椅子やワゴンのキャスター等が衝突してパネルが傷つけられるのを防止するため、間仕切パネルの下部に幅木を設けることが多い(例えば特許文献１および２参照)。
【特許文献１】特開平９−２３５８０５号公報（図１および図２）
【特許文献２】特開２０００−１６０７３６号公報（図１）
【発明の開示】
【発明が解決しようとする課題】
【０００３】
しかし、上述のような幅木を用いた従来の間仕切装置においては、幅木を設けるため、デザインが著しく制約される。例えば、間仕切パネルをガラス等の透光板で形成する場合、幅木を設けることによって透光部分が狭められ、美観を損なう。
【０００４】
近年、美観向上の観点から、幅木を廃止するとともに、間仕切パネルをガラス等の透光板により形成し、それを床面近くまで配置することが考えられているが、その場合に、上述したような椅子やワゴンのキャスター等がガラスパネルに衝突してガラスパネルが破損したり傷つけられるという問題が発生する。
【０００５】
本発明は、従来の技術が有する上記のような問題点に鑑み、幅木を用いることなく、間仕切パネルに椅子やワゴンのキャスター等が衝突してパネルが破損したり傷つけられたりするのを防止することができ、しかもパネルを床面近くまで配設することができ、デザイン上の制約を軽減しうるようにした間仕切装置を提供することを目的としている。
【課題を解決するための手段】
【０００６】
本発明によると、上記課題は、次のようにして解決される。
（１）パネルを床上にほぼ垂直に起立するように設けることにより、室内空間を仕切るようにした間仕切装置において、前記パネルの下部に、パネルの下端の長手方向を向くとともに、パネルの表面より外方に突出する緩衝材よりなるバンパーを設ける。
【０００７】
（２）上記（１）項において、パネルの周縁を枠材により囲み、前記枠材の下部側面にバンパーを取り付ける。
【０００８】
（３）上記（２）において、バンパーの一部を枠材とパネルとの間に挟み込むことにより、バンパーを枠材に取り付ける。
【０００９】
（４）上記（２）または（３）項において、枠材とパネルとの間にシール材を設け、このシール材の外側にバンパーを一体的に形成する。
【００１０】
（５）上記（２）〜（４）項のいずれかにおいて、パネルを透光板とし、パネルの表面と枠体の表面とを同一面とし、かつバンパーを、前記表面より外方に突出するように設ける。
【００１１】
（６）上記（２）〜（５）項のいずれかにおいて、２枚のパネルを枠体の両側部に互いに離間するようにして平行に設け、枠体の下部両側面にバンパーを設ける。
【００１２】
（７）上記（１）〜（６）項のいずれかにおいて、バンパーを、パネルの下端部のほぼ全長にわたって設ける。
【００１３】
（８）上記（１）〜（７）項のいずれかにおいて、バンパーを、緩衝材の表面を硬質材料層により覆ったものとする。
【発明の効果】
【００１４】
本発明によると、次のような効果を奏することができる。
（ａ）請求項１記載の発明によると、パネルの下部に設けたバンパーにより、パネルに椅子やワゴンのキャスター等が衝突してパネルが破損したり傷つけられたりするのを防止することができる。また、これによって、パネルの下方に幅木を設ける必要がなくなり、パネルを床面近くまで配設することができ、デザイン上の制約を軽減することができる。
【００１５】
（ｂ）請求項２記載の発明によると、バンパーを枠材の下部側面に取り付けるので、バンパーをパネル自体に直接取り付ける必要がなく、パネルの美観を損なうことがない。
【００１６】
（ｃ）請求項３記載の発明によると、バンパーを、ねじ等の特別な取付手段によることなく、簡単かつ体裁よく枠材に取り付けることができる。
【００１７】
（ｄ）請求項４記載の発明によると、バンパーがシール材と一体に形成されているので、部品点数を削減することができるとともに、シール材を枠材とパネルとの間に挟み込んで装着することにより、バンパーも同時に枠材に装着されるので、バンパーの取り付け作業が容易である。
【００１８】
（ｅ）請求項５記載の発明によると、ガラス板やアクリル板等の透光板をパネルとして用いて、間仕切としての美観を保つとともに、その表面よりバンパーを突出させて、他物との衝突等によるパネルの破損や損傷を防止することができる。
【００１９】
（ｆ）請求項６記載の発明によると、２枚のパネルを枠体の両側部に互いに離間するようにして平行に設けた、いわゆるダブルパネル方式の間仕切装置においても、その両側面にバンパーを設けることにより、幅木を用いることなく、両面のパネルを床面近くまで配置できる体裁のよい間仕切装置を提供することができる。
【００２０】
（ｇ）請求項７記載の発明によると、バンパーを、パネルの下端部のほぼ全長にわたって設けたので、パネルの下端部のどの部位に椅子やワゴンのキャスター等が衝突しても、パネルが破損したり傷つけられたりすることがなく、安全性を高めることができる。
【００２１】
（ｈ）請求項８記載の発明によると、バンパーの緩衝材の表面を硬質材料層により覆ったので、椅子やワゴンのキャスター等が何度も当接または摺接しても、バンパーの表面が破損するおそれが少なく、耐久性を高めることができる。
【発明を実施するための最良の形態】
【００２２】
以下、本発明の一実施形態を、図１〜図５を参照して説明する。
【００２３】
図１〜図３に示すように、正面視方形の枠体(１)は、上下方向を向く左右１対の側部枠杆(２)(２)の上下の端部同士を、左右方向を向く上下部枠杆(３)(４)をもって互いに連結したものよりなり、それらの間に、種々のパネルを支持するようになっている。
【００２４】
各側部枠杆(２)および上下部枠杆(３)(４)は、それぞれ、前後面の外周縁に、前後方向に突出する長手方向を向く突縁(５)が突設され、前後の突縁(５)(５)間には、内方に向かって漸次狭幅となる山形断面形状の内向き突部(６)が設けられ、この内向き突部における狭幅となった頂部に、長手方向を向く凹溝(７)が設けられている。
【００２５】
各凹溝(７)の前後に互いに対向する内側面には、長手方向を向く突条(８)(８)が設けられている。
【００２６】
各突縁(５)の内面と内向き突部(６)の側面との角部（この例ではその角部の突縁(５)側）には、断面外向きＬ字状をなす長手方向を向くシール材収容溝(９)が設けられている。
【００２７】
各枠杆(２)(３)(４)は、アルミニウム軽合金の引き抜き材または合成樹脂材料の押出し成形材により、内部に中空部(10)を有するほぼ同一の断面形状（この例では、側部枠杆(２)の左右方向の幅を、上下部枠杆(３)(４)の上下方向の幅より若干大としてある）に形成されている。
【００２８】
各側部枠杆(２)の中空部(10)には、補強用の金属製管材(11)が嵌合されている。
各側部枠杆(２)の上下の端部と、上下部枠杆(３)(４)の左右の端部は、それぞれ枠体(１)の中心方向を向く４５°の傾斜面をもって切断され、その傾斜面同士を互いにつき合わせて、ねじ（図示略）等をもって固着することにより、互いに分解可能として連結されている。
【００２９】
下部枠杆(４)の両側部下面には、高さ調節用のアジャスタ(12)を下端に設けた脚(13)が設けられ、枠体(１)は、この脚(13)(13)をもって床上に起立して使用される。
【００３０】
なお、枠体(１)の側端部を、他の枠体または室内の壁面等に連結し、前後方向に倒れないようにするか、または脚(13)(13)を、前後方向に長い倒れ防止用の脚（図示略）と交換して使用することもある。
【００３１】
枠体(１)における側部枠材(２)と上下部枠杆(３)(４)との連結部であるコーナー部の内側には、図５に示すような、正面形がほぼ直角二等辺三角形をなすコーナー部材(14)が、必要に応じて装着しうるように、着脱自在に設けられている。
【００３２】
コーナー部材(14)は、各コーナー部における側部枠杆(２)と上下部枠杆(３)(４)との各凹溝(７)に嵌合する互いに交差する方向を向く２個の嵌合部(15)(15)と、両嵌合部(15)(15)の遊端部同士を連結する斜辺部(16)とを備えており、各嵌合部(15)の前後面には、凹溝(７)の内面における突条(８)(８)と係合しうる凹条(17)(17)が設けられている。
【００３３】
斜辺部(16)の中間部には、前後方向に突出する円筒状のボス部(18)が一体的に形成されており、ボス部(18)の中央には、ねじ孔(19)が穿設されている。
【００３４】
コーナー部材(14)は、各枠杆(２)(３)(４)の端部同士を連結して、方形枠状の枠体(１)を形成する際に、一方の嵌合部(15)を、側部枠杆(２)または上下部枠杆(３)(４)の端部より凹溝(７)内に差し込んでおき、その状態で、他方の嵌合部(15)を、上下部枠杆(３)(４)または側部枠杆(２)の端部より凹溝(７)内に差し込みつつ、一コーナー部を形成する１対の枠杆(２)(３)または(４)の端部の傾斜面同士をつき合わせ、その両枠杆(２)(３)または(４)同士をねじ止めすることにより、各コーナー部の内側に装着される。
【００３５】
装着後には、２個の嵌合部(15)(15)の各凹条(17)が、対応する凹溝(７)の突条(８)に係合していることにより、コーナー部材(14)は、組み立てられた枠体(１)のコーナー部から脱落することはない。
【００３６】
枠体(１)に、ガラス板からなる２枚の透光性のパネル(20)(20)を、ダブルパネル方式で装着するには、上述のようにして、各コーナー部にコーナー部材(14)を装着した状態で、枠体(１)を組み立てた後、各シール材収容溝(９)に、弾性体等の緩衝材からなるシール材(21)の一片(21a)を嵌合する。
【００３７】
シール材(21)は、ゴム等の弾性体からなる断面ほぼＴ字状のものとするのがよく、一片(21a)をシール材収容溝(９)に嵌合したとき、他の２片(21b)(21c)が、各枠杆(２)(３)(４)の突縁(５)の内面および内向き突部(６)の側面に当接するようにしておく。
【００３８】
次に、枠体(１)の前後面における突縁(５)の内側に、四隅に取付孔(23)が穿設されたパネル(20)を、その外周面がシール材(21)の中間の片(21b)の内面に、かつ外周部の内側面がシール材(21)の内向きの片(21c)の外面にそれぞれ密接するようにして嵌合する。
【００３９】
その後、パネル(20)の各隅部の取付孔(23)に、有頭ねじ(24)の雄ねじ部(24a)を通して、雄ねじ部(24a)をボス部(18)の端部よりねじ孔(19)に螺合することにより、パネル(20)をボス部(18)にねじ止めする。
【００４０】
このとき、有頭ねじ(24)の頭部(24b)とパネル(20)との間、およびパネル(20)とボス部(18)の端面との間に、円形のパッキング(25)を挟んでおくのがよい。
このパッキング(25)、有頭ねじ(24)、およびボス部(18)により、前後のパネル(20)(20)同士を連結する連結手段(26)が形成されている。
【００４１】
以上のような手順により、枠体(１)の前後両面に、透光性のパネル(20)を、位置ずれ等が生じることなく、強固に、かつ体裁よく、しかも簡単に取り付けることができる。
【００４２】
本発明によれば、上記の構造を有する枠体(１)を使用した間仕切装置において、下部枠杆(４)に装着するシール材(21)の中間の片(21b)の外端部に、断面形が半円形をなし、かつ下部枠杆(４)の突縁(５)の外側面を覆うようにしたバンパー(22)の上部が連設してある。このバンパー(22)の長さは、パネル(20)の下端のほぼ全長の長さと同一とするのがよい。
【００４３】
このバンパー(22)により、椅子やワゴンのキャスタ等が偶発的に間仕切りに接触しても、パネル(20)に直接接触することが阻止され、パネル(20)が破損することを防止ができる。
【００４４】
特に、この枠体(１)では、枠体の前後の両面をガラスパネル(20)で覆うダブルパネル構造で使用される場合、椅子、ワゴン等が接触する機会が増大するが、設置したバンパー（22）のため、直接の接触が阻止され、特に好ましい。
【００４５】
また、下部枠杆(４)に装着したシール材(21)の中間の片(21b)の上に、パネル(20)が載置されることにより、バンパー(22)が下部枠杆(４)から離散しないように確実に保持されるため好適である。
【００４６】
上記の実施態様では、バンパー(22)を、シール材(21)の中間の片(21b)の外端部に連設しているが、他の実施態様によれば、ねじ止め、接着剤により、バンパーを下部枠杆(４)、またはパネル(20)に直接固着することも可能である。
【００４７】
また、図６に示すように、バンパー(30)を、下部枠杆(４)における突縁(５)に前後の側方から外嵌するようにした軟質の弾性体からなる側面視コ字状の緩衝材(31)の外側面を、硬質の合成樹脂材料からなるほぼ半円弧状の硬質材料層(32)により覆ったものとしてもよい。
このようにすると、バンパー(30)に、椅子やワゴンのキャスター等が何度も当接または摺接しても、バンパー(30)の表面が破損するおそれが少なく、耐久性を高めることができる。
【図面の簡単な説明】
【００４８】
【図１】本発明の一実施形態の正面図である。
【図２】図１のII−II線に沿う拡大縦断側面図である。
【図３】図１のIII−III線に沿う拡大横断平面図である。
【図４】図１のIＶ−IＶ線に沿う拡大縦断側面図である。
【図５】コーナー部材の斜視図である。
【図６】バンパーの変形例の拡大縦断側面図である。
【符号の説明】
【００４９】
(１)枠体
(２)側部枠杆
(３)上部枠杆
(４)下部枠杆
(５)突縁
(６)内向き突部
(７)凹溝
(８)突条
(９)シール材収容溝
(10)中空部
(11)管材
(12)アジャスタ
(13)脚
(14)コーナー部材
(15)嵌合部
(16)斜辺部
(17)凹条
(18)ボス部（連結手段）
(19)ねじ孔
(20)パネル
(21)シール材
(21a)(21b)(21c)片
(22)バンパー
(22a)当接部
(22b)緩衝部
(23)取付孔
(24)有頭ねじ
(24a)雄ねじ部
(24b)頭部
(25)パッキング
(26)連結手段
(30)バンパー
(31)緩衝材
(32)硬質材料層
【図１】
2005139858.tif 000003
【図２】
2005139858.tif 000004
【図３】
2005139858.tif 000005
【図４】
2005139858.tif 000006
【図５】
2005139858.tif 000007
【図６】
2005139858.tif 000008